(57)【特許請求の範囲】
【請求項１】
基地局内において実行されるユニキャスト通信方法であって、
少なくとも２つのチャネル状況レベル・グループを取得するように、上りリンク・チャネルの測定情報に応じたチャネル状況レベルに基づいて前記基地局内のグループ化ユニットが端末をグループ化するステップと、
前記基地局内の符号化ユニットが、各チャネル状況レベル・グループに適した変調符号化モードを選択し、噴水符号ブロックを取得するように噴水符号を使用することによって端末に送出されるパケットを符号化するステップと、
前記基地局内の送出ユニットが、前記噴水符号ブロックを前記端末に送出するステップと
を備え、
各チャネル状況レベル・グループに適した変調符号化モードを選択し、噴水符号ブロックを取得するように噴水符号を使用することによって端末に送出されるパケットを前記符号化するステップは、
前記符号化ユニットが、各チャネル状況レベル・グループに適した変調符号化モードを選択し、噴水符号ブロックを取得するように噴水符号を使用することによって同一のチャネル状況レベル・グループに属する端末に送出されるパケットを一緒に符号化するステップを備える方法。
【請求項２】
上りリンク・チャネルの測定情報に応じたチャネル状況レベルに基づいて端末を前記グループ化するステップは、
上りリンク・チャネルの前記測定情報に応じたチャネルの信号対雑音比の異なるレベルに基づいて前記端末をグループ化するステップを備える、請求項１に記載の方法。
【請求項３】
各チャネル状況レベル・グループに適した変調符号化モードを選択し、噴水符号ブロックを取得するように噴水符号を使用することによって端末に送出されるパケットを前記符号化するステップの後に、
前記端末が属するチャネル状況レベル・グループを示す制御シグナリングを前記基地局内の前記送出ユニットが前記端末に送出するステップをさらに備える、請求項１または２に記載の方法。
【請求項４】
前記噴水符号ブロックを前記端末に前記送出するステップの後に、
前記端末によって送出される不成功応答ＮＡＣＫのＡＣＫ信号によるフィードバックが設定された時間期間内に受信された場合、前記基地局内の調節手段が、設定された規則に応じて、チャネル状況レベルがより低いグループに前記端末を調節するステップをさらに備え、前記チャネル状況レベルがより低いグループは、前記端末が現在属しているチャネル状況レベル・グループの信号対雑音比よりも低い信号対雑音比を有する、請求項２または３に記載の方法。
【請求項５】
前記噴水符号ブロックを前記端末に前記送出するステップの後に、
前記端末によって送出される成功応答ＡＣＫのＡＣＫ信号によるフィードバックが設定された時間期間内に受信された場合、前記基地局内の調節手段が、設定された規則に応じて、チャネル状況レベルがより高いグループに前記端末を調節するステップをさらに備え、前記チャネル状況レベルがより高いグループは、前記端末が現在属しているチャネル状況レベル・グループの信号対雑音比よりも高い信号対雑音比を有する、請求項２乃至４のうちいずれか１項に記載の方法。
【請求項６】
前記噴水符号ブロックが前記端末に送出されているときに、下りリンク・チャネルの変動が予め設定された閾値を超える場合、前記基地局内の破棄手段が前記噴水符号ブロックを破棄するステップをさらに備える、請求項１乃至５のうちいずれか１項に記載の方法。
【請求項７】
端末内において実行されるユニキャスト通信方法であって、
基地局によって送出されたパケットの噴水符号ブロックを、前記端末内の端末受信ユニットが受信するステップと、
端末が属するチャネル状況レベル・グループを前記端末内の復号化ユニットが決定し、前記チャネル状況レベル・グループに対応する変調符号化モードを使用することによって前記噴水符号ブロックを前記端末内の前記復号化ユニットが復号化するステップと、
前記端末内のフィードバック・ユニットが、前記基地局にＡＣＫ信号によるフィードバックを送出するステップまたは前記ＡＣＫ信号によるフィードバックを送出する動作を抑制するステップと
を備え、
前記基地局によって送出された前記パケットの前記受信された噴水符号ブロックが複数の端末のパケットの噴水符号ブロックである場合、前記噴水符号ブロックを前記復号化するステップは、
前記復号化ユニットが前記噴水符号ブロックを復号化し、端末のパケットを分離するステップを備える方法。
【請求項８】
端末が属するチャネル状況レベル・グループを前記決定するステップは、
前記基地局によって送出され、端末が属するチャネル状況レベル・グループを示す、受信された制御シグナリングに応じて、前記端末が属するチャネル状況レベル・グループを前記端末内の端末調節ユニットが決定するステップ、または、測定された下りリンク・チャネル状況に応じて、前記端末が属する前記チャネル状況レベル・グループを端末調節ユニットが決定するステップを備える、請求項７に記載の方法。
【請求項９】
端末が属するチャネル状況レベル・グループを前記決定するステップは、
チャネルの信号対雑音比の異なるレベルに応じて、前記端末が属するチャネル状況レベル・グループを前記復号化ユニットが決定するステップを備える、請求項７または８に記載の方法。
【請求項１０】
前記基地局にＡＣＫ信号によるフィードバックを前記送出するステップは、
復号化が設定された時間期間内に完了しなかった場合、前記フィードバック・ユニットが、前記基地局に不成功応答ＮＡＣＫのＡＣＫ信号によるフィードバックを送出し、前記端末調節ユニットが、チャネル状況レベルがより低いグループに変更するステップを備え、前記チャネル状況レベルがより低いグループは、前記端末が現在属しているチャネル状況レベル・グループの信号対雑音比よりも低い信号対雑音比を有するので、次の噴水符号ブロックが受信された場合、前記次の噴水符号ブロックは、前記チャネル状況レベルがより低いグループに対応する変調符号化モードを使用することによって復号化される、請求項９に記載の方法。
【請求項１１】
前記基地局にＡＣＫ信号によるフィードバックを前記送出するステップは、
復号化が設定された時間期間内に完了した場合、前記フィードバック・ユニットが、前記基地局に成功応答ＡＣＫのＡＣＫ信号によるフィードバックを送出し、前記端末調節ユニットが、チャネル状況レベルがより高いグループに変更するステップを備え、前記チャネル状況レベルがより高いグループは、前記端末が現在属しているチャネル状況レベル・グループの信号対雑音比よりも高い信号対雑音比を有するので、次の噴水符号ブロックが受信された場合、前記次の噴水符号ブロックは、前記チャネル状況レベルがより高いグループに対応する変調符号化モードを使用することによって復号化される、請求項９または１０に記載の方法。
【請求項１２】
基地局であって、
少なくとも２つのチャネル状況レベル・グループを取得するように、上りリンク・チャネルの測定情報に応じたチャネル状況レベルに基づいて端末をグループ化するように構成されたグループ化ユニットと、
前記グループ化ユニットによって取得された各チャネル状況レベル・グループに適した変調符号化モードを選択し、噴水符号ブロックを取得するように噴水符号を使用することによって端末に送出されるパケットを符号化するように構成された符号化ユニットと、
前記符号化ユニットによって取得された前記噴水符号ブロックを前記端末に送出するように構成された送出ユニットと
を備え、
前記符号化ユニットはさらに、前記グループ化ユニットによって取得された各チャネル状況レベル・グループに適した変調符号化モードを選択し、噴水符号ブロックを取得するように噴水符号を使用することによって同一のチャネル状況レベル・グループに属する端末に送出されるパケットを一緒に符号化するように構成される基地局。
【請求項１３】
前記グループ化ユニットはさらに、上りリンク・チャネルの前記測定情報に応じたチャネルの信号対雑音比の異なるレベルに基づいて前記端末をグループ化するように構成される、請求項１２に記載の基地局。
【請求項１４】
前記送出ユニットはさらに、前記端末が属するチャネル状況レベル・グループを示す制御シグナリングを前記端末に送出するように構成される、請求項１２または１３に記載の基地局。
【請求項１５】
前記端末によって送出されるＡＣＫ信号によるフィードバックを受信するように構成された基地局受信ユニットと、
基地局調節ユニットであって、
前記基地局受信ユニットが、前記端末によって送出される不成功応答ＮＡＣＫの前記ＡＣＫ信号によるフィードバックを、設定された時間期間内に受信した場合、設定された規則に応じて、チャネル状況レベルがより低いグループに前記端末を調節し、ここで、前記チャネル状況レベルがより低いグループは、前記端末が現在属しているグループの信号対雑音比よりも低い信号対雑音比を有し、
前記基地局受信ユニットが、前記端末によって送出される成功応答ＡＣＫの前記ＡＣＫ信号によるフィードバックを、設定された時間期間内に受信した場合、設定された規則に応じて、チャネル状況レベルがより高いグループに前記端末を調節し、ここで、前記チャネル状況レベルがより高いグループは、前記端末が現在属しているグループの信号対雑音比よりも高い信号対雑音比を有し、
そうでない場合、前記端末を調節する動作を抑制するように構成された基地局調節ユニットと
をさらに備える、請求項１３または１４に記載の基地局。
【請求項１６】
端末であって、
基地局によって送出されたパケットの噴水符号ブロックを受信するように構成された端末受信ユニットと、
端末が属すると決定されたチャネル状況レベル・グループに応じて、かつ、前記チャネル状況レベル・グループに対応する変調符号化モードを使用することによって、前記端末受信ユニットによって受信された前記噴水符号ブロックを復号化するように構成された復号化ユニットと、
前記基地局に、前記復号化ユニットが前記噴水符号ブロックを正しく復号したことを表すＡＣＫ信号によるフィードバックを送出するように、または、前記ＡＣＫ信号によるフィードバックを送出する動作を抑制するように構成されたフィードバック・ユニットと
を備え、
前記基地局によって送出された前記パケットの前記受信された噴水符号ブロックが複数の端末のパケットの噴水符号ブロックである場合、
前記復号化ユニットは、前記噴水符号ブロックを復号化し、前記端末のパケットを分離するように構成される端末。
【請求項１７】
前記基地局によって送出され、前記端末が属するチャネル状況レベル・グループを示す制御シグナリングを受信し、前記端末が属する前記チャネル状況レベル・グループを決定するように、または、測定された下りリンク・チャネル状況に応じて、前記端末が属する前記チャネル状況レベル・グループを決定するように、構成された端末調節ユニットをさらに備える、請求項１６に記載の端末。
【請求項１８】
前記復号化ユニットはさらに、チャネルの信号対雑音比の異なるレベルに応じて、前記端末が属する前記チャネル状況レベル・グループを決定し、前記チャネル状況レベル・グループに対応する前記変調符号化モードを使用することによって、前記噴水符号ブロックを復号化するように構成される、請求項１６または１７に記載の端末。
【請求項１９】
前記フィードバック・ユニットは、
前記復号化ユニットが設定された時間期間内に復号化を完了しなかった場合、前記基地局に不成功応答ＮＡＣＫのＡＣＫ信号によるフィードバックを送出し、次いで、チャネル状況レベルがより低いグループに端末調節ユニットが前記端末を調節し、ここで、前記チャネル状況レベルがより低いグループは、前記端末が現在属しているチャネル状況レベル・グループの信号対雑音比よりも低い信号対雑音比を有するので、次の噴水符号ブロックを受信した場合、前記端末は、前記チャネル状況レベルがより低いグループに対応する変調符号化モードを使用することによって、前記次の噴水符号ブロックを復号化し、
前記復号化ユニットが設定された時間期間内に復号化を完了した場合、前記基地局に成功応答ＡＣＫのＡＣＫ信号によるフィードバックを送出し、次いで、チャネル状況レベルがより高いグループに前記端末調節ユニットが前記端末を調節し、ここで、前記チャネル状況レベルがより高いグループは、前記端末が現在属しているチャネル状況レベル・グループの信号対雑音比よりも高い信号対雑音比を有するので、次の噴水符号ブロックを受信した場合、前記端末は、前記チャネル状況レベルがより高いグループに対応する変調符号化モードを使用することによって、前記次の噴水符号ブロックを復号化するように構成される、請求項１８に記載の端末。
【請求項２０】
通信システムであって、
少なくとも２つのチャネル状況レベル・グループを取得するように、上りリンク・チャネルの測定情報に応じたチャネル状況レベルに基づいて端末をグループ化し、各チャネル状況レベル・グループに適した変調符号化モードを選択し、噴水符号ブロックを取得するように噴水符号を使用することによって端末に送出されるパケットを符号化し、前記噴水符号ブロックを前記端末に送出するように構成された基地局と、
前記基地局によって送出された前記パケットの前記噴水符号ブロックを受信し、前記端末が属するチャネル状況レベル・グループを決定し、前記チャネル状況レベル・グループに対応する変調符号化モードを使用することによって前記噴水符号ブロックを復号化し、前記基地局にＡＣＫ信号によるフィードバックを送出するか、または前記送出する動作を抑制するように構成された少なくとも１つの端末と
を備え、
前記基地局はさらに、取得された各チャネル状況レベル・グループに適した変調符号化モードを選択し、噴水符号ブロックを取得するように噴水符号を使用することによって同一のチャネル状況レベル・グループに属する端末に送出されるパケットを一緒に符号化するように構成され、
前記少なくとも１つの端末は、前記噴水符号ブロックを復号化し、前記端末のパケットを分離するように構成される通信システム。
【発明の詳細な説明】
【技術分野】
【０００１】
本発明は、通信分野に関し、特に、ユニキャスト通信のための方法、装置、およびシステムに関する。
【背景技術】
【０００２】
従来技術では、ユニキャスト通信システムが、ポイント・ツー・ポイント伝搬モードを使用し、サーバがクライアントの要求に遅滞なく応答し、クライアントの様々な要求に応答して様々なデータを送出できるという利点を有し、パーソナライズされたサービスが容易に実現され得る。データサービスの進歩とデータ・レートの向上により、現在、主に大量のデータ・トラヒックの送信のためのほとんどのユニキャスト通信システムは、チャネルのチャネル特性によって送信効率を向上させるように、ＡＭＣ（適応的な変調および符号化、適応的な変調および符号化）およびＨＡＲＱ（ハイブリッド自動再送要求、ハイブリッド自動再送要求）メカニズムを採用する。
【０００３】
しかしながら、チャネル特性をより正確に追跡するために、システムのフィードバック・オーバーヘッドが増大し、これはシステムのスループットを制限し、特にチャネルが不安定な場合、フィードバック粒度はシステムに大きな負担をもたらし得る。結果として、システムは、大規模なデータ送信を効率的にサポートすることができない。
【発明の概要】
【課題を解決するための手段】
【０００４】
本発明の実施形態は、チャネル品質フィードバックが要求されず、これによりシステムにおけるフィードバック・オーバーヘッドを減じる、ユニキャスト通信方法、装置、およびシステムを提供する。
【０００５】
この目的を達成するために、本発明の実施形態は、以下の技術的解決手段を採用する。
【０００６】
本発明に係る一態様に従うならば、
少なくとも２つのチャネル状況レベル・グループを取得するように、上りリンク・チャネルの測定情報に応じたチャネル状況レベルに基づいて端末をグループ化することと、
各チャネル状況レベル・グループに適した変調符号化モードを選択し、噴水符号ブロックを得るように噴水符号を使用することによって端末に送出されるパケットを符号化することと、
噴水符号ブロックを端末に送出することと
を含むユニキャスト通信方法が提供される。
【０００７】
本発明に係る一態様に従うならば、
基地局によって送出されたパケットの噴水符号ブロックを受信することと、
端末が属するチャネル状況レベル・グループを決定し、チャネル状況レベル・グループに対応する変調符号化モードを使用することによって噴水符号ブロックを復号することと、
基地局にＡＣＫ信号によるフィードバックを送出することまたは送出しないことと
を含むユニキャスト通信方法が提供される。
【０００８】
本発明に係る別の態様に従うならば、
少なくとも２つのチャネル状況レベル・グループを得るように、上りリンク・チャネルの測定情報に応じたチャネル状況レベルに基づいて端末をグループ化するように構成されたグループ化ユニットと、
各チャネル状況レベル・グループに適した変調符号化モードを選択し、噴水符号ブロックを得るように噴水符号を使用することによって端末に送出されるパケットを符号化するように構成された符号化ユニットと、
噴水符号ブロックを端末に送出するように構成された送出ユニットと
を含む基地局が提供される。
【０００９】
本発明に係る別の態様に従うならば、
基地局によって送出されたパケットの噴水符号ブロックを受信するように構成された端末受信ユニットと、
端末が属すると決定されたチャネル状況レベル・グループに応じて、チャネル状況レベル・グループに対応する変調符号化モードを使用することによって、噴水符号ブロックを復号するように構成された復号化ユニットと、
基地局にＡＣＫ信号によるフィードバックを送出するように、または送出しないように構成されたフィードバック・ユニットと
を含む端末が提供される。
【００１０】
本発明に係る別の態様に従うならば、
少なくとも２つのチャネル状況レベル・グループを得るように、上りリンク・チャネルの測定情報に応じたチャネル状況レベルに基づいて端末をグループ化し、各チャネル状況レベル・グループに適した変調符号化モードを選択し、噴水符号ブロックを得るように噴水符号を使用することによって端末に送出されるパケットを符号化し、噴水符号ブロックを端末に送出するように構成された基地局と、
基地局によって送出されたパケットの噴水符号ブロックを受信し、端末が属するチャネル状況レベル・グループを決定し、チャネル状況レベル・グループに対応する変調符号化モードを使用することによって噴水符号ブロックを復号し、基地局にＡＣＫ信号によるフィードバックを送出するか、または送出しないように構成された少なくとも１つの端末と
を含む通信システムが提供される。
【００１１】
本発明に係る実施形態において提供されるユニキャスト通信のための方法、装置、およびシステムによると、基地局が、上りリンク・チャネルの測定情報に応じたチャネル状況レベルに基づいて端末をグループ化し、各チャネル状況レベル・グループのチャネル状況に適した変調符号化モードを選択し、噴水符号ブロックを得るように噴水符号を使用することによって端末に送出されるパケットをそれぞれ符号化し、次いで、噴水符号ブロックを端末に送出し、端末が、噴水符号ブロックを受信し、端末が属するチャネル状況レベル・グループに対応する変調符号化モードを使用することによって噴水符号ブロックを復号し、基地局に、単にＡＣＫ信号によるフィードバックを送出するか、またはＡＣＫ信号によるフィードバックを送出しない。この手法では、噴水符号の符号化モードはチャネル品質フィードバックを要求しないので、それは従来技術におけるＡＭＣまたはＨＡＲＱとは異なり、システムにおけるフィードバック・オーバーヘッドが減じられ、システムのスループットが向上し、大量のデータの送信がサポートされる。
【００１２】
本発明に係る実施形態に係るまたは従来技術における技術的解決手段をより明確に説明するために、以下に、実施形態または従来技術の説明に必要とされる添付図面を簡単に紹介する。以下の説明における添付図面が単に本発明の実施形態のいくつかを示すにすぎないことは明らかであり、当業者は、創造的な努力なしに添付図面に応じて他の図面を得ることができる。
【図面の簡単な説明】
【００１３】
【図１】図１は、本発明の一実施形態に係るユニキャスト通信方法のフローチャートである。
【図２】図２は、本発明の一実施形態に係る別のユニキャスト通信方法のフローチャートである。
【図３Ａ】図３Ａは、本発明の一実施形態に係るさらなる別のユニキャスト通信方法のフローチャートである。
【図３Ｂ】図３Ｂは、本発明の一実施形態に係るさらなる別のユニキャスト通信方法のフローチャートである。
【図４Ａ】図４Ａは、本発明の一実施形態に係るさらなる別のユニキャスト通信方法のフローチャートである。
【図４Ｂ】図４Ｂは、本発明の一実施形態に係るさらなる別のユニキャスト通信方法のフローチャートである。
【図５】図５は、本発明の一実施形態に係る基地局の模式化された構造図である。
【図６】図６は、本発明の一実施形態に係る別の基地局の模式化された構造図である。
【図７】図７は、本発明の一実施形態に係る端末の模式化された構造図である。
【図８】図８は、本発明の一実施形態に係る別の端末の模式化された構造図である。
【図９】図９は、本発明の一実施形態に係るユニキャスト通信システムの模式図である。
【発明を実施するための形態】
【００１４】
本発明に係る技術的解決手段が、添付図面を参照して以下に明確に説明される。説明される諸々の実施形態が本発明に係る実施形態の全てではなくむしろ一部の実施態様を例示するにすぎないことは明らかである。当業者が格別の創造的な努力をすることなしに本発明の実施形態に基づいて得ることが出来る他のすべての実施形態は、本発明の保護範囲内に含まれるべきである。
【００１５】
図１に示すように、本発明の一実施形態において提供されるユニキャスト通信方法は、以下を含む。
【００１６】
Ｓ１０１：基地局が、少なくとも２つのレベル・グループを取得するように、上りリンク・チャネルの測定情報に応じたチャネル状況レベルに基づいて端末をグループ化する。
【００１７】
例示的には、このステップにおいて、チャネル状況レベルに基づいたグループ化は、粗い粒度に基づいた変調および符号化であり得る。
【００１８】
加えて、グループ化は、測定情報におけるチャネル状況の、チャネル品質、ＰＭＩ（プリコーディング行列インデックス）、またはビーム方向に応じて実行され得る。
【００１９】
Ｓ１０２：各チャネル状況レベル・グループに適した変調符号化モードを基地局が選択し、噴水符号ブロックを取得することが可能な態様で噴水符号を使用することによって端末に送出されるパケットを基地局が符号化する。
【００２０】
本明細書においては、噴水符号が以下の特徴を有することに注意すべきである。すなわち、フィードバックが要求されないか、またはチャネル状況フィードバックよりもむしろ単純なＡＣＫフィードバックが要求されるにすぎないこと、レートが制限されず、符号化ブロックが絶えず生成され得ること、噴水符号がランダム性を有し、符号化ブロックが復号化側に対するピアとしての寄与を有すること、噴水符号がマルチポイント並列送信またはマルチポイント並列受信に適していることである。したがって、噴水符号は、チャネル状況フィードバックを要求せず、すなわち、チャネル品質フィードバックを要求しないので、占有されるチャネルの空間が節約され、ユーザは、送信処理において失われた符号化ブロックの影響なく、所望のデータを得た後にデータの受信を止めることができる。
【００２１】
例示的には、本発明に係る実施形態において提供される噴水符号の送出端は、ｋ個のオリジナル・グループから任意の個数の符号化グループを生成することができ、受信端がｋ（１＋ε）個の任意の符号化グループを受信するのであれば、受信端は、復号化処理により高い確率でオリジナル・グループの全てを成功裏に復元することができる。良好に設計された噴水符号は、低い復号化処理オーバーヘッドεを有するだけでなく、単純な符号化方法および復号化方法、ならびに符号化および復号化の低い複雑性をも有する。比喩的に言うと、噴水符号の符号化処理は、噴水（符号化器）が絶えず水滴（符号化グループ）を生成する処理のようなものであり、単にカップ（復号化器）が十分な量の水滴を受け取る必要があるにすぎないと同時に、飲用（成功裏の復号化処理）の目的は、カップに流れ込む水滴（符号化グループ）が特定の水滴であるかどうかに関わらず達成され得る。
【００２２】
Ｓ１０３：基地局が噴水符号ブロックを端末に送出する。
【００２３】
本発明のこの実施形態において提供されるユニキャスト通信方法によると、基地局は、上りリンク・チャネルの測定情報に応じたチャネル状況レベルに基づいて端末をグループ化し、各チャネル状況レベル・グループに適した変調符号化モードを選択し、噴水符号ブロックを得るように噴水符号を使用することによって端末に送出されるパケットを符号化し、次いで、噴水符号ブロックを端末に送出する。この手法では、噴水符号ブロックを受信し、端末が属するチャネル状況レベル・グループに対応する変調符号化モードを使用することによって噴水符号ブロックを復号した後、端末は基地局に、単にＡＣＫ信号によるフィードバックを送出し得るか、またはＡＣＫ信号によるフィードバックを送出し得ない。噴水符号の符号化モードはチャネル品質フィードバックを要求しないので、それは従来技術におけるＡＭＣまたはＨＡＲＱとは異なり、システムにおけるフィードバック・オーバーヘッドが軽減され、システムのスループットが向上し、大量のデータの送信がサポートされる。
【００２４】
図２に示すように、本発明の別の実施形態において提供されるユニキャスト通信方法は、以下を含む。
【００２５】
Ｓ２０１：端末が、基地局によって送出されたパケットの噴水符号ブロックを受信する。
【００２６】
Ｓ２０２：端末が、端末が属するチャネル状況レベル・グループを決定し、チャネル状況レベル・グループに対応する変調符号化モードを使用することによって噴水符号ブロックを復号する。
【００２７】
例示的には、端末は、端末が属するチャネル状況レベル・グループに対応する符号化ビットレートに応じて、噴水符号ブロックをそれに対応して復号し得る。
【００２８】
Ｓ２０３：端末が基地局に、ＡＣＫ信号によるフィードバックを送出するか、または送出しない。
【００２９】
例示的には、復号が設定された時間期間内に完了しなかった場合、端末は基地局に、不成功応答ＮＡＣＫのＡＣＫ信号フィードバックを送出し得、または、復号が設定された時間期間内に完了した場合、端末は基地局に、成功応答ＡＣＫのＡＣＫ信号フィードバックを送出し得る。そうでない場合、端末は、ＡＣＫ信号によるフィードバックを送出しない。
【００３０】
本発明のこの実施形態において提供されるユニキャスト通信方法によると、端末は、基地局によって送出されたパケットの噴水符号ブロックを受信し、端末が属するチャネル状況レベル・グループに対応する変調符号化モードを使用することによって噴水符号ブロックを復号し、基地局にＡＣＫ信号によるフィードバックを送出するか、または送出しない。この手法では、噴水符号の符号化モードはチャネル品質フィードバックを要求しないので、それは従来技術におけるＡＭＣまたはＨＡＲＱとは異なり、システムにおけるフィードバック・オーバーヘッドが軽減され、システムのスループットが向上し、大量のデータの送信がサポートされる。
【００３１】
図３Ａおよび図３Ｂに示すように、本発明に係るさらに別の実施形態において提供されるユニキャスト通信方法は、以下を含む。
【００３２】
Ｓ３０１：基地局が、少なくとも２つのチャネル状況レベル・グループを得るように、上りリンクチャネルの測定情報に応じたチャネルの信号対雑音比の異なるレベルに基づいて端末をグループ化し、ここで、グループ化は、粗い粒度に基づいた変調および符号化であり得る。
【００３３】
チャネル状況レベルに基づいた端末のグループ化が、測定情報におけるチャネル状況の、チャネル品質、ＰＭＩ（プリコーディング行列インデックス）、またはビーム方向に応じて実行され得ることは、注目に値する。
【００３４】
Ｓ３０２：基地局が、各チャネル状況レベル・グループに適した変調符号化モードを選択し、各端末について個々に、噴水符号ブロックを得るように噴水符号を使用することによって同一のチャネル状況レベル・グループに属する端末に送出されるパケットを符号化する。
【００３５】
Ｓ３０３：基地局が噴水符号ブロックを端末に送出する。
【００３６】
例示的には、噴水符号ブロックを端末に送出する前に、基地局は、端末が属するチャネル状況レベル・グループを示す制御シグナリングを送出することができ、または、制御シグナリングを送出しないこともできる。
【００３７】
基地局が噴水符号ブロックを端末に送出する処理中、下りリンク・チャネルの変動が、設定された閾値を超える場合があり得る。この場合、噴水符号ブロックは破棄される。噴水符号の特性により、端末は単に、十分な個数の正しい符号ブロックを受信する必要があるにすぎず、失われた噴水符号は復号化処理に影響を及ぼさない。この手法では、送信処理中の変動の影響が無視され得ることにより、送信効率が向上する。
【００３８】
Ｓ３０４：端末が、基地局によって送出されたパケットの噴水符号ブロックを受信する。
【００３９】
Ｓ３０５：端末が属するチャネル状況レベル・グループを示し、基地局によって送出される制御シグナリングを受信する場合、端末は、そのシグナリングに応じて、端末が属するチャネル状況レベル・グループを決定し、端末が制御シグナリングを受信しない場合、端末は、測定された下りリンク・チャネル状況に応じたチャネルの信号対雑音比の異なるレベルに基づいて、端末が属するチャネル状況レベル・グループを決定し、端末のパケットを得るように端末が属するチャネル状況レベル・グループに対応する変調符号化モードを使用することによって噴水符号ブロックを復号する。
【００４０】
Ｓ３０６：復号が設定された時間期間内に完了しなかった場合、端末は基地局に、不成功応答ＮＡＣＫのＡＣＫ信号フィードバックを送出し、チャネル状況レベルがより低いグループに対して端末を調節し、ここで、チャネル状況レベルがより低いグループは、端末が現在属しているグループの信号対雑音比よりも低い信号対雑音比を有するので、次の噴水符号ブロックを受信した場合、端末は、チャネル状況レベルがより低いグループに対応する変調符号化モードを使用することによって次の噴水符号ブロックを復号し、復号が設定された時間期間内に完了した場合、端末は基地局に、成功応答ＡＣＫのＡＣＫ信号フィードバックを送出し、チャネル状況レベルがより高いグループに対して端末を調節し、ここで、より高いチャネル状況レベルのグループは、端末が現在属しているグループの信号対雑音比よりも高い信号対雑音比を有するので、次の噴水符号ブロックを受信した場合、端末は、より高いチャネル状況レベルのグループに対応する変調符号化モードを使用することによって次の噴水符号ブロックを復号する。
【００４１】
チャネル状況レベルがより低いグループに対して端末が調節され、受信された次の噴水符号ブロックのパケットと、復号化処理が完了していない以前の噴水符号ブロックのパケットとが同一である場合、端末が、復号化処理時間を短縮するように、チャネル状況レベルがより低いグループに対応する変調符号化モードを使用することにより、以前の噴水符号ブロックから復調されたデータを引き続き復号化することができるということは、注目に値する。
【００４２】
Ｓ３０７：基地局が、端末によって送出される不成功応答ＮＡＣＫのＡＣＫ信号フィードバックを設定された時間期間内に受信した場合、基地局は、設定された規則に応じて、より低いチャネル状況レベルのグループに端末を調節し、ここで、チャネル状況レベルがより低いグループは、端末が現在属しているグループの信号対雑音比よりも低い信号対雑音比を有し、基地局が、端末によって送出される成功応答ＡＣＫのＡＣＫ信号フィードバックを設定された時間期間内に受信した場合、基地局は、設定された規則に応じて、より高いチャネル状況レベルのグループに端末を調節し、ここで、より高いチャネル状況レベルのグループは、端末が現在属しているグループの信号対雑音比よりも高い信号対雑音比を有し、または、基地局が、端末によって送出されるＡＣＫ信号によるフィードバックを設定された時間期間内に受信しない場合、基地局は、端末が属するチャネル状況レベルグループを調節しない。
【００４３】
この手法では、基地局は、より高いチャネル状況レベルのグループのチャネル状況に適した変調符号化モードを選択し、各端末について個々に、噴水符号を使用することによってより高いチャネル状況レベルのグループに属する端末に送出されるパケットを符号化する一方で、基地局は、より低いチャネル状況レベルのグループのチャネル状況に適した変調符号化モードを選択し、各端末について個々に、噴水符号を使用することによってより低いチャネル状況レベルのグループに属する端末に送出されるパケットを符号化する。
【００４４】
例示的には、端末がより高いチャネル状況レベルのグループまたはより低いチャネル状況レベルのグループに調節された後、基地局は保護時間を設定することができ、その保護時間内に基地局は、調節された端末が属するチャネル状況レベルグループを調節しないので、基地局が端末を過度に頻繁に調節することが防がれ、誤りが回避される。
【００４５】
本発明の実施形態において提供されるユニキャスト通信方法によると、基地局が、上りリンクチャネルの測定情報に応じたチャネル状況レベルに基づいて端末をグループ化し、各チャネル状況レベルグループに適した変調符号化モードを選択し、噴水符号ブロックを得るように噴水符号を使用することによって端末に送出されるパケットを符号化し、次いで、噴水符号ブロックを端末に送出し、端末が、噴水符号ブロックを受信し、端末が属するチャネル状況レベルグループに対応する変調符号化モードを使用することによって噴水符号ブロックを復号し、基地局に、単にＡＣＫ信号によるフィードバックを送出するか、またはＡＣＫ信号によるフィードバックを送出しない。この手法では、噴水符号の符号化モードはチャネル品質フィードバックを要求しないので、それは従来技術におけるＡＭＣまたはＨＡＲＱとは異なり、システムにおけるフィードバック・オーバーヘッドが軽減され、システムのスループットが向上し、大量のデータの送信がサポートされる。
【００４６】
図４Ａおよび図４Ｂに示すように、本発明に係るさらに別の実施形態において提供されるユニキャスト通信方法は、以下を含む。
【００４７】
Ｓ４０１：基地局が、少なくとも２つのチャネル状況レベル・グループを取得するように、上りリンク・チャネルの測定情報に応じたチャネルの信号対雑音比の異なるレベルに基づいて端末をグループ化し、ここで、グループ化は、粗い粒度に基づいた変調および符号化であり得る。
【００４８】
Ｓ４０２：基地局が、各チャネル状況レベル・グループに適した変調符号化モードを選択し、噴水符号ブロックを取得するように噴水符号を使用することによって同一のチャネル状況レベルグループに属する端末に送出されるパケットを一緒に符号化する。
【００４９】
Ｓ４０３：基地局は、端末が属するチャネル状況レベルグループを示す制御シグナリングを端末に送出するけれども、他方、制御シグナリングを送出しない場合もあり、その場合には、噴水符号ブロックを送出する。
【００５０】
例示的には、基地局が噴水符号ブロックを端末に送出する処理の実行中において、下りリンク・チャネルの変動が、設定された閾値を超える場合があり得る。この場合、基地局は、噴水符号ブロックを破棄する。
【００５１】
Ｓ４０４：端末が、基地局によって送出されたパケットの噴水符号ブロックを受信する。
【００５２】
Ｓ４０５：端末が属すべきチャネル状況レベル・グループを端末が決定し、端末が属するチャネル状況レベル・グループに対応した変調符号化モードを使用することによって噴水符号ブロックを復号化し、端末のパケットを分離する。
【００５３】
端末が属するチャネル状況レベル・グループを示し、基地局によって送出される制御シグナリングを受信する場合、端末は、そのシグナリングに応じて、端末が属するチャネル状況レベル・グループを決定し、端末が制御シグナリングを受信しない場合、端末は、測定された下りリンク・チャネル状況に応じたチャネルの信号対雑音比の異なるレベルに基づいて、端末が属するチャネル状況レベル・グループを決定するということに注意すべきである。
【００５４】
端末のパケットを分離した後、端末は他のパケットを記憶することができるので、将来それらのパケットが要求された場合、端末がそれらのパケットを再度復号しないことは注目に値する。
【００５５】
Ｓ４０６：復号が設定された時間期間内に完了しなかった場合、端末は基地局に、不成功応答ＮＡＣＫのＡＣＫ信号フィードバックを送出し、チャネル状況レベルがより低いグループに対して端末を調節し、ここで、チャネル状況レベルがより低いグループは、端末が現在属しているグループの信号対雑音比よりも低い信号対雑音比を有するので、次の噴水符号ブロックを受信した場合、端末は、チャネル状況レベルがより低いグループに対応する変調符号化モードを使用することによって次の噴水符号ブロックを復号し、復号化処理が設定された時間期間内に完了した場合、端末は基地局に、成功応答ＡＣＫのＡＣＫ信号フィードバックを送出し、チャネル状況レベルがより高いグループに対して端末を調節し、ここで、チャネル状況レベルがより高いグループは、端末が現在属しているグループの信号対雑音比よりも高い信号対雑音比を有するので、次の噴水符号ブロックを受信した場合、端末は、チャネル状況レベルがより高いグループに対応する変調符号化モードを使用することによって次の噴水符号ブロックを復号化する。
【００５６】
Ｓ４０７：基地局が、端末によって送出される不成功応答ＮＡＣＫのＡＣＫ信号フィードバックを設定された時間期間内に受信した場合、基地局は、設定された規則に応じて、チャネル状況レベルがより低いグループに端末を調節し、ここで、チャネル状況レベルがより低いグループは、端末が現在属しているグループの信号対雑音比よりも低い信号対雑音比を有し、基地局が、端末によって送出される成功応答ＡＣＫのＡＣＫ信号フィードバックを設定された時間期間内に受信した場合、基地局は、設定された規則に応じて、チャネル状況レベルがより高いグループに対して端末を調節し、ここで、チャネル状況レベルがより高いグループは、端末が現在属しているグループの信号対雑音比よりも高い信号対雑音比を有し、または、基地局が、端末によって送出されるＡＣＫ信号によるフィードバックを設定された時間期間内に受信しない場合、基地局は、端末が属するチャネル状況レベル・グループを調節しない。
【００５７】
本発明の実施形態において提供されるユニキャスト通信方法によると、基地局が、上りリンクチャネルの測定情報に応じたチャネル状況レベルに基づいて端末をグループ化し、各チャネル状況レベルグループに適した変調符号化モードを選択し、噴水符号ブロックを得るように噴水符号を使用することによって端末に送出されるパケットを符号化し、次いで、噴水符号ブロックを端末に送出し、端末が、噴水符号ブロックを受信し、端末が属するチャネル状況レベルグループに対応する変調符号化モードを使用することによって噴水符号ブロックを復号し、基地局に、単にＡＣＫ信号によるフィードバックを送出するか、またはＡＣＫ信号によるフィードバックを送出しない。この手法では、噴水符号の符号化モードはチャネル品質フィードバックを要求しないので、それは従来技術におけるＡＭＣまたはＨＡＲＱとは異なり、システムにおけるフィードバックオーバーヘッドが軽減され、システムのスループットが向上し、大量のデータの送信がサポートされる。
【００５８】
図５に示すように、本発明の実施形態において提供される基地局５０は、
【００５９】
少なくとも２つのチャネル状況レベルグループを取得するように、上りリンクチャネルの測定情報に応じたチャネル状況レベルに基づいて端末をグループ化するように構成されたグループ化ユニット５０１と、
【００６０】
グループ化ユニット５０１によって得られた各チャネル状況レベルグループに適した変調符号化モードを選択し、噴水符号ブロックを得るように噴水符号を使用することによって端末に送出されるパケットを符号化するように構成された符号化ユニット５０２であって、
【００６１】
ここで、注目に値することであるが、符号化ユニット５０２がさらに、グループ化ユニット５０１によって取得された各チャネル状況レベル・グループに適した変調符号化モードを選択し、噴水符号ブロックを得るように噴水符号を使用することによって同一のグループに属する端末に送出されるパケットを一緒に符号化するように構成され得る、符号化ユニット５０２と、
【００６２】
符号化ユニット５０２によって得られた噴水符号ブロックを端末に送出するように構成された送出ユニット５０３とを含む。
【００６３】
本発明の実施形態において提供される基地局は、上りリンク・チャネルの測定情報に応じたチャネル状況レベルに基づいて端末をグループ化し、各チャネル状況レベル・グループに適した変調符号化モードを選択し、噴水符号ブロックを得るように噴水符号を使用することによって端末に送出されるパケットを符号化し、次いで、噴水符号ブロックを端末に送出する。この手法では、噴水符号ブロックを受信し、端末が属するチャネル状況レベル・グループに対応する変調符号化モードを使用することによって噴水符号ブロックを復号化した後、端末は基地局に、単にＡＣＫ信号によるフィードバックを送出し得るか、またはＡＣＫ信号によるフィードバックを送出し得ない。噴水符号の符号化モードはチャネル品質フィードバックを要求しないので、それは従来技術におけるＡＭＣまたはＨＡＲＱとは異なり、システムにおけるフィードバックオーバーヘッドが軽減され、システムのスループットが向上し、大量のデータの送信がサポートされる。
【００６４】
さらに、図６に示すように、基地局５０はさらに、基地局受信ユニット５０４と基地局調節ユニット５０５とを含む。
【００６５】
グループ化ユニット５０１がさらに、上りリンク・チャネルの測定情報に応じたチャネルの信号対雑音比の異なるレベルに基づいて端末をグループ化するように構成されること、送出ユニット５０３がさらに、端末が属するチャネル状況レベル・グループを示す制御シグナリングを端末に送出するように構成されることに注意すべきである。
【００６６】
基地局受信ユニット５０４は、端末によって送出されるＡＣＫ信号によるフィードバックを受信するように構成される。
【００６７】
基地局調節ユニット５０５は、
基地局受信ユニット５０４が、端末によって送出される不成功応答ＮＡＣＫのＡＣＫ信号フィードバックを設定された時間期間内に受信した場合、設定された規則に応じて、チャネル状況レベルがより低いグループに対して端末を調節し、ここで、チャネル状況レベルがより低いグループは、端末が現在属しているグループの信号対雑音比よりも低い信号対雑音比を有し、
基地局受信ユニット５０４が、端末によって送出される不成功応答ＮＡＣＫのＡＣＫ信号フィードバックを設定された時間期間内に受信した場合、設定された規則に応じて、チャネル状況レベルがより高いグループに対して端末を調節し、ここで、チャネル状況レベルがより高いグループは、端末が現在属しているグループの信号対雑音比よりも高い信号対雑音比を有し、
そうでない場合、端末を調節しないように構成される。
【００６８】
この手法では、基地局は、チャネル状況レベルがより高いグループのチャネル状況に適した変調符号化モードを選択し、噴水符号を使用することによってチャネル状況レベルがより高いグループに属する端末に対して次の噴水符号ブロックを送出することができ、基地局はまた、チャネル状況レベルがより低いグループのチャネル状況に適した変調符号化モードを選択し、噴水符号を使用することによってチャネル状況レベルがより低いグループに属する端末に対して次の噴水符号ブロックを送出することができる。
【００６９】
この基地局５０は、上記実施形態において提供された方法を採用することによって機能し得る。機能する方法は、実施形態において提供された方法と同一であり、さらなる詳細は本明細書に提供されない。
【００７０】
本発明の実施形態において提供される基地局は、上りリンク・チャネルの測定情報に応じたチャネル状況レベルに基づいて端末をグループ化し、各レベル・グループのチャネル状況に適した変調符号化モードを選択し、噴水符号ブロックを得るように噴水符号を使用することによって端末に送出されるパケットを符号化し、次いで、噴水符号ブロックを端末に送出する。この手法では、噴水符号ブロックを受信し、端末が属するチャネル状況レベル・グループに対応する変調符号化モードを使用することによって噴水符号ブロックを復号化した後、端末は基地局に、単にＡＣＫ信号によるフィードバックを送出し得るか、またはＡＣＫ信号によるフィードバックを送出し得ない。噴水符号の符号化モードはチャネル品質フィードバックを要求しないので、それは従来技術におけるＡＭＣまたはＨＡＲＱとは異なり、システムにおけるフィードバックオーバーヘッドが軽減され、システムのスループットが向上し、大量のデータの送信がサポートされる。
【００７１】
図７に示すように、本発明の一実施形態において提供される端末６０は、
【００７２】
端末受信ユニット６０１であって、基地局４０によって送出されたパケットの噴水符号ブロックを受信し、
【００７３】
例示的には、端末が属するチャネル状況レベルグループを示す制御シグナリングを基地局が送出する場合、まず制御シグナリングを受信するように構成される端末受信ユニット６０１と、
【００７４】
復号化ユニット６０２であって、端末が属すると決定されたチャネル状況レベル・グループに応じて、チャネル状況レベル・グループに対応する変調符号化モードを使用することによって、噴水符号ブロックを復号し、
【００７５】
例示的には、端末受信ユニット６０１が制御シグナリングを受信する場合、その制御シグナリングに応じて、端末が属するチャネル状況レベル・グループを決定し、端末受信ユニット６０１が制御シグナリングを受信しない場合、下りリンク・チャネル状況を測定し、チャネルの信号対雑音比の異なるレベルに応じて、端末が属するチャネル状況レベル・グループを決定するように構成され、
【００７６】
ここで、注目に値することであるが、受信された符号ブロックが、基地局５０によって送出されるパケットを一緒に符号化することによって得られた符号ブロックである場合、復号化ユニット６０２が、噴水符号ブロックを復号化処理し、端末のパケットを分離するように構成される、復号化ユニット６０２と、
【００７７】
基地局５０にＡＣＫ信号によるフィードバックを送出するように、または送出しないように構成されたフィードバック・ユニット６０３とを含む。
【００７８】
本発明に係る実施形態において提供される端末は、基地局によって送出されたパケットの噴水符号ブロックを受信し、端末が属するチャネル状況レベルグループに対応する変調符号化モードを使用することによって噴水符号ブロックを復号し、基地局にＡＣＫ信号によるフィードバックを送出するか、または送出しない。この手法では、噴水符号の符号化モードはチャネル品質フィードバックを要求しないので、それは従来技術におけるＡＭＣまたはＨＡＲＱとは異なり、システムにおけるフィードバックオーバーヘッドが軽減され、システムのスループットが向上し、大量のデータの送信がサポートされる。
【００７９】
図８に示すように、本発明の実施形態において提供される端末６０はさらに、端末調節ユニット６０４を含む。
【００８０】
さらに、フィードバック・ユニット６０３は、
復号化ユニット６０２が、設定された時間期間内に復号化処理を完了しなかった場合、基地局５０に不成功応答ＮＡＣＫのＡＣＫ信号フィードバックを送出し、次いで端末調節ユニット６０４が、より低いチャネル状況レベルのグループに端末を調節し、ここで、より低いチャネル状況レベルのグループは、端末が現在属しているグループの信号対雑音比よりも低い信号対雑音比を有するので、復号化ユニット６０２は、チャネル状況レベルがより低いグループに対応する変調符号化モードを使用することによって、噴水符号ブロックを復号し、
復号化ユニット６０２が設定された時間期間内に復号化処理を完了した場合、基地局５０に成功応答ＡＣＫのＡＣＫ信号フィードバックを送出し、次いでチャネル状況レベルがより高いグループに対して端末調節ユニット６０４が端末を調節し、ここで、チャネル状況レベルがより高いグループは、端末が現在属しているグループの信号対雑音比よりも高い信号対雑音比を有するので、新たな噴水符号ブロックを受信した場合、復号化ユニット６０２は、チャネル状況レベルがより高いグループに対応する変調符号化モードを使用することによって、新たな噴水符号ブロックを復号化処理するように構成される。
【００８１】
この端末６０は、上記実施形態において提供された方法を採用することによって機能し得る。機能する方法は、実施形態において提供された方法と同一であり、さらなる詳細は本明細書に提供されない。
【００８２】
本発明に係る実施形態において提供される端末は、基地局によって送出されたパケットの噴水符号ブロックを受信し、端末が属するチャネル状況レベル・グループに対応する変調符号化モードを使用することによって噴水符号ブロックを復号化し、基地局にＡＣＫ信号によるフィードバックを送出するか、または送出しない。この手法では、噴水符号の符号化モードはチャネル品質フィードバックを要求しないので、それは従来技術におけるＡＭＣまたはＨＡＲＱとは異なり、システムにおけるフィードバックオーバーヘッドが軽減され、システムのスループットが向上し、大量のデータの送信がサポートされる。
【００８３】
図８に示すように、本発明の実施形態において提供される通信システムは、
少なくとも２つのチャネル状況レベル・グループを得るように、上りリンク・チャネルの測定情報に応じたチャネル状況レベルに基づいて端末６０をグループ化し、各チャネル状況レベル・グループに適した変調符号化モードを選択し、噴水符号ブロックを得るように噴水符号を使用することによって端末６０に送出されるパケットを符号化し、噴水符号ブロックを端末６０に送出するように構成された基地局５０と、
基地局５０によって送出されたパケットの噴水符号ブロックを受信し、端末６０が属するチャネル状況レベル・グループを決定し、チャネル状況レベル・グループに対応する変調符号化モードを使用することによって噴水符号ブロックを復号化し、基地局５０にＡＣＫ信号によるフィードバックを送出するか、または送出しないように構成された少なくとも１つの端末６０とを含む。
【００８４】
基地局５０および端末６０は、上記方法の実施形態に対応し、基地局５０および端末６０は、方法の実施形態のステップにおいて使用されることができ、ステップにおける特定の適用については、上記方法の実施形態が参照され得る。基地局５０および端末６０の特定の構造は、上記実施形態において提供された基地局および端末の構造と同一であり、さらなる詳細内容は本明細書中において提供されない。
【００８５】
本発明の実施形態において提供される通信システムでは、基地局が、上りリンク・チャネルの測定情報に応じたチャネル状況レベルに基づいて端末をグループ化し、各チャネル状況レベル・グループに適した変調符号化モードを選択し、噴水符号ブロックを得るように噴水符号を使用することによって端末に送出されるパケットを符号化し、次いで、噴水符号ブロックを端末に送出し、
端末が、噴水符号ブロックを受信し、端末が属するチャネル状況レベルグループに対応する変調符号化モードを使用することによって噴水符号ブロックを復号し、基地局に、単にＡＣＫ信号によるフィードバックを送出するか、またはＡＣＫ信号によるフィードバックを送出しない。この手法では、噴水符号の符号化モードはチャネル品質フィードバックを要求しないので、それは従来技術におけるＡＭＣまたはＨＡＲＱとは異なり、システムにおけるフィードバックオーバーヘッドが軽減され、システムのスループットが向上し、大量のデータの送信がサポートされる。
【００８６】
上記説明は、本発明のいくつかの実施形態にすぎず、本発明を限定することを意図したものではない。本発明の精神から逸脱することなく当業者によって行われる様々な変形および変更は、本発明の範囲内に含まれる。したがって、本発明の保護範囲は、添付の請求項によって決められる。
【００８７】
関連出願の相互参照
本出願は、２０１１年１２月７日付けで中国特許庁に出願され、「ＵＮＩＣＡＳＴ  ＣＯＭＭＵＮＩＣＡＴＩＯＮ  ＭＥＴＨＯＤ，ＡＰＰＡＲＡＴＵＳ，ＡＮＤ  ＳＹＳＴＥＭ」と題され、中国特許出願第２０１１１０４０３３１８．０号明細書に基づく優先権を主張し、その全ての内容は、引用により本明細書中に組み込まれる。
【図１】
0005908110.tif 000002
【図２】
0005908110.tif 000003
【図３Ａ】
0005908110.tif 000004
【図３Ｂ】
0005908110.tif 000005
【図４Ａ】
0005908110.tif 000006
【図４Ｂ】
0005908110.tif 000007
【図５】
0005908110.tif 000008
【図６】
0005908110.tif 000009
【図７】
0005908110.tif 000010
【図８】
0005908110.tif 000011
【図９】
0005908110.tif 000012